(57)【要約】【課題】照明システムのマッピング作業において、作業品質や作業効率を向上させた端末装置を提供する。【解決手段】端末装置３０は、機器配置領域において、複数の機器１０の施工位置に複数の仮アイコン７を配置し、機器リスト領域ＲＬにおいて、複数の機器１０に対応した識別記号を表示させる表示制御部３６を備える。表示制御部３６は、識別記号８１の選択操作を受けた後に、第１仮アイコン７２の選択操作を受けたときに、第１仮アイコン７２と識別記号８１に対応する第１機器とを紐付けて、機器配置領域ＲＭの第１仮アイコン７２の位置に第１機器の識別記号を表示させる。【選択図】図４Ａ
2019200908.tif 000002
【特許請求の範囲】
【請求項１】
少なくとも１つの照明器具を含む複数の機器と、前記複数の機器を制御する少なくとも１つのコントローラとネットワークを形成する端末装置であって、
前記端末装置の表示画面には、機器配置領域と、機器リスト領域とが設けられ、
前記機器配置領域に、前記複数の機器の施工位置に対応させて、それぞれ独立に選択可能な複数の仮アイコンを配置し、前記機器リスト領域に、前記複数の機器のそれぞれに対応した識別記号を表示させる表示制御部と、
前記機器リスト領域に表示された前記識別記号の選択操作を受けたときに、該選択された識別記号に対応する機器である第１機器の識別情報を前記コントローラに送信する送信部とを備え、
前記表示制御部は、前記識別記号の選択操作を受けた後に、前記複数の仮アイコンのうちの１つである第１仮アイコンの選択操作を受けたときに、前記第１仮アイコンと前記第１機器とを紐付けて、前記機器配置領域の前記第１仮アイコンの位置に前記第１機器の識別記号を表示させる
端末装置。
【請求項２】
前記表示制御部は、前記機器配置領域への前記複数の仮アイコンの配置情報、及び、前記機器リスト領域に表示させる前記複数の機器の識別記号の少なくとも一方を前記コントローラから受ける
請求項１記載の端末装置。
【請求項３】
前記表示制御部は、前記第１仮アイコンと前記第１機器とを紐付けた後、前記表示画面に作業者の確認を促す確認用アイコンを表示させ、該確認用アイコンの選択操作を受けてから、前記第１仮アイコンの位置への前記第１機器の識別記号の表示を確定させる
請求項１記載の端末装置。
【請求項４】
前記表示制御部は、前記確認用アイコンの表示にあわせて、前記第１仮アイコンと前記第１機器との紐付けを解除させる解除用アイコンを表示させる
請求項３記載の端末装置。
【請求項５】
前記表示制御部は、前記機器配置領域の前記第１仮アイコンの位置に前記第１機器の識別記号を表示させる際に、前記第１機器の識別記号を、視覚的変化を経て遷移させる
請求項１記載の端末装置。
【請求項６】
前記表示制御部は、前記機器配置領域の前記第１仮アイコンの近傍に、施工位置に関連した識別子を表示させる
請求項１記載の端末装置。
【請求項７】
前記表示制御部は、前記表示画面に、前記第１仮アイコンと前記第１機器との紐付けの進捗情報を表示させる
請求項１記載の端末装置。
【請求項８】
前記第１仮アイコンと前記第１機器との紐付け情報を記憶する記憶部を備える
請求項１記載の端末装置。
【請求項９】
前記端末装置は、
前記送信部は、前記第１仮アイコンと前記第１機器との紐付けられた結果を示すマッピング情報をコントローラに送信する
請求項１記載の端末装置。
【請求項１０】
前記送信部は、
前記第１仮アイコンと前記第１機器との紐付けが完了した台数が所定台数に達する毎に、前記マッピング情報をコントローラに送信する
請求項９記載の端末装置。
【請求項１１】
前記表示制御部は、外部から前記複数の機器の位置を推定する位置推定情報を受けた場合に、該位置推定情報に基づいて前記機器リスト領域における前記識別記号の表示順序を決める
請求項１記載の端末装置。
【請求項１２】
前記表示制御部は、前記位置推定情報に基づいて、自機の現在位置と関連性の低い前記識別記号を前記機器リスト領域に表示させない
請求項１１に記載の端末装置。
【請求項１３】
前記表示制御部は、外部から前記複数の機器の位置を推定する位置推定情報を受けた場合に、該位置推定情報に基づいて、前記機器配置領域に、自機の現在位置と関連性の高い第１配置領域を拡大表示させる
請求項１記載の端末装置。
【請求項１４】
前記コントローラは、複数であり、
前記表示制御部は、前記複数のコントローラのうち、自機と接続されたコントローラの近傍領域を前記機器配置領域に拡大表示させる
請求項１３記載の端末装置。
【請求項１５】
前記位置推定情報は、前記コントローラと前記各機器間の通信電波強度に基づく情報である
請求項１１または１３に記載の端末装置。
【請求項１６】
前記位置推定情報は、前記コントローラと前記各機器間の通信電波の到達時間に基づく情報である
請求項１１または１３に記載の端末装置。
【請求項１７】
前記位置推定情報は、前記機器に電源が投入されているか否かに基づく情報である
請求項１１または１３に記載の端末装置。
【請求項１８】
少なくとも１つの照明器具を含む複数の機器及び該複数の機器を制御するコントローラとネットワークを形成するものであり、機器配置領域及び機器リスト領域が設けられた表示画面を有する端末装置に、
前記機器配置領域に、前記複数の機器の施工位置に対応させて、それぞれ独立に選択可能な複数の仮アイコンを配置し、前記機器リスト領域に、前記複数の機器のそれぞれに対応した識別記号を表示させる第１表示処理と、
前記機器リスト領域に表示された前記識別記号の選択操作を受けたときに、該選択された識別記号に対応する機器である第１機器の識別情報を前記コントローラに送信する送信処理と、
前記識別記号の選択操作を受けた後に、前記複数の仮アイコンのうちの１つである第１仮アイコンの選択操作を受けたときに、前記第１仮アイコンと前記第１機器とを紐付けて、前記機器配置領域の前記第１仮アイコンの位置に前記第１機器の識別記号を表示させる第２表示処理とを実行させる
ためのプログラム。
【請求項１９】
少なくとも１つの照明器具を含む複数の機器と、前記複数の機器を制御するコントローラと、コントローラと無線通信する端末装置とを備える照明システムであって、
前記端末装置は、
機器配置領域及び機器リスト領域が設けられた表示画面と、
前記機器配置領域に、前記複数の機器の施工位置に対応させて、それぞれ独立に選択可能な複数の仮アイコンを配置し、前記機器リスト領域に、前記複数の機器のそれぞれに対応した識別記号を表示させる表示制御部と、
前記機器リスト領域に表示された前記識別記号の選択操作を受けたときに、該選択された識別記号に対応する機器である第１機器の識別情報を前記コントローラに送信する送信部とを備え、
前記コントローラは、前記識別情報に基づいて前記第１機器の状態を変化させ、
前記端末装置の前記表示制御部は、前記識別記号の選択操作を受けた後に、前記複数の仮アイコンのうちの１つである第１仮アイコンの選択操作を受けたときに、前記第１仮アイコンと前記第１機器とを紐付けて、前記機器配置領域の前記第１仮アイコンの位置に前記第１機器の識別記号を表示させる
照明システム。
【請求項２０】
前記コントローラは、前記複数の機器を認識し、前記複数の機器に対応する複数の器具識別情報を端末装置に送信し、
前記端末装置の表示制御部は、前記コントローラから受けた前記器具識別情報に基づいて前記識別記号を機器リスト領域に表示させる
請求項１９記載の照明システム。
【請求項２１】
前記コントローラは、前記複数の機器の位置を推定し、位置推定情報として前記端末装置に送信し、
前記端末装置の表示制御部は、前記コントローラから受けた前記位置推定情報に基づいて前記機器リスト領域における前記識別記号の表示順序を決める
請求項１記載の端末装置。
【請求項２２】
前記コントローラは、前記複数の機器の位置を推定し、位置推定情報として前記端末装置に送信し、
前記端末装置の表示制御部は、前記コントローラから受けた前記位置推定情報に基づいて、前記機器配置領域に、前記端末装置の位置と関連性の高い第１配置領域を拡大表示させる
請求項１記載の端末装置。
【発明の詳細な説明】
【技術分野】
【０００１】
本発明は、端末装置及びそれを用いた照明システム並びに端末装置用プログラムに関する。
【背景技術】
【０００２】
特許文献１には、オフィスや店舗等の施設において、その施設の照明空間に設置された複数の照明器具を制御する照明システムに関する技術が示されている。具体的に、特許文献１の技術では、以下の手順で照明器具のマッピングを行うことが示されている。
（手順１）作業者が、設定端末を設定モードにすると、サブウインドが表示される。
（手順２）作業者が、サブウインドの任意のアイコンを選択すると、選択されたアイコンの表示が選択状態に切り替わる。
（手順３）アイコンに対応付けされているアドレスの照明器具が点滅する。
（手順４）作業者は、点滅する照明器具の位置を確認し、設定端末の操作部で選択した照明器具のアイコンをサブウインドからレイアウト表示領域の対応する位置（以下、対応照明位置という）にドラックアンドペーストで移動させて配置する。
（手順５）照明器具のアイコンがレイアウト表示領域の対応照明位置に配置されると、選択されていた照明器具が点滅状態から２５％調光で点灯される。
【先行技術文献】
【特許文献】
【０００３】
【特許文献１】特開２０１１−２０４６５６号公報
【発明の概要】
【発明が解決しようとする課題】
【０００４】
しかしながら、特許文献１のような従来技術では、作業者は、「手順２」でサブウインドのアイコンを選択した後、「手順３」で照明器具を確認する必要がある。このとき、作業者の視線は、サブウインドから照明器具に移る。そして、作業者は、「手順４」でレイアウト表示領域において点滅した照明と対応する対応照明位置を確認した後に、再度サブウインドを見て選択されたアイコンを再度タップし、レイアウト表示領域の対応照明位置に選択したアイコンをドラックアンドペーストする必要がある。すなわち、作業者は、照明器具からレイアウト表示領域に視線を移して照明器具の配置場所を探して記憶し、その後、サブウンドに視線を移して機器を選択した後、レイアウト表示領域に戻って再度照明の配置場所を探しなおして（思い出して）、そこに向けてアイコンを動かす必要がある。
【０００５】
そうすると、表示画面上での照明位置の場所を間違えたり、照明位置を忘れてしまって作業のやり直しが発生したりと、作業品質や作業効率が低下する問題がある。例えば、美術館、オフィスビル、ショッピングモール等のように、天井が高かったり、決まった間隔で多数の照明が配列されているような施工現場では、このような問題が特に顕著に表れる。
【０００６】
本開示の技術は、上記問題に鑑みてなされたものであり、表示画面上で複数の機器と該機器の施工位置とを関連付ける照明システムのマッピング作業において、作業品質や作業効率を向上させることを目的とする。
【課題を解決するための手段】
【０００７】
上記課題を解決するために、本発明の一実施形態に係る端末装置は、少なくとも１つの照明器具を含む複数の機器と、前記複数の機器を制御する少なくとも１つのコントローラとネットワークを形成する端末装置であって、前記端末装置の表示画面には、機器配置領域と、機器リスト領域とが設けられ、前記機器配置領域に、前記複数の機器の施工位置に対応させて、それぞれ独立に選択可能な複数の仮アイコンを配置し、前記機器リスト領域に、前記複数の機器のそれぞれに対応した識別記号を表示させる表示制御部と、前記機器リスト領域に表示された前記識別記号の選択操作を受けたときに、該選択された識別記号に対応する機器である第１機器の識別情報を前記コントローラに送信する送信部とを備え、前記表示制御部は、前記識別記号の選択操作を受けた後に、前記複数の仮アイコンのうちの１つである第１仮アイコンの選択操作を受けたときに、前記第１仮アイコンと前記第１機器とを紐付けて、前記機器配置領域の前記第１仮アイコンの位置に前記第１機器の識別記号を表示させる。
【発明の効果】
【０００８】
本発明によると、表示画面上で複数の機器と該機器の施工位置とを関連付ける照明システムのマッピング作業において、作業品質や作業効率を向上させることできる。
【図面の簡単な説明】
【０００９】
【図１】照明システムの主要な構成を示す概略図
【図２】照明システムのブロック構成図
【図３】端末装置の表示画面の構成例を示す図
【図４Ａ】照明システム全体の動作を示すフローチャート
【図４Ｂ】照明システム全体の動作を示すフローチャート
【図５Ａ】照明システム動作時の端末装置の表示画面の表示例を示す図
【図５Ｂ】照明システム動作時の端末装置の表示画面の表示例を示す図
【図５Ｃ】照明システム動作時の端末装置の表示画面の表示例を示す図
【図５Ｄ】照明システム動作時の端末装置の表示画面の表示例を示す図
【図５Ｅ】照明システム動作時の端末装置の表示画面の表示例を示す図
【図６】照明システム動作時の端末装置の表示画面の表示例を示す図
【発明を実施するための形態】
【００１０】
以下、本発明の各実施形態を図面に基づいて詳細に説明する。以下の各実施形態の説明は、本質的に例示に過ぎず、本発明、その適用物或いはその用途を制限することを意図するものではない。
【００１１】
＜照明システムの構成＞
図１は実施形態に係る照明システムの主要な構成を示す概略図であり、図２は同照明システムのブロック構成図である。
【００１２】
図１に示すように、照明システムＡは、複数の機器１０と、複数の機器１０を制御するコントローラ２０と、複数の機器１０及びコントローラ２０とネットワークを形成する端末装置３０とを備える。複数の機器１０には、少なくとも、建物ビル、商業施設等の施工現場の天井等に並べて配置される照明器具１１が含まれる。また、複数の機器１０が、照明器具１１に加えて、照明器具１１とコントローラ２０との間を中継する変換器１２（図２参照）、及び／または、コントローラ２０と照明器具１１との間に設けられて相互間の接続をオンオフ制御するスイッチ１３（図２参照）等を含んでいてもよい。
【００１３】
図２に示すように、端末装置３０は、作業者の入力操作を受ける入力部３１と、表示画面３２ａ（図３参照）を有する表示部３２と、制御部３５と、記憶部３６と、通信部３７とを備える。以下の説明では、端末装置３０は、タッチパネル式の端末装置であるものとして説明する。したがって、タッチパネルにより表示部３２及び入力部３１の機能が実現される。ただし、端末装置３０の入力部３１と表示部３２とが一体になっている必要はなく、それぞれが別々に設けられていてもよい。また、端末装置３０の入力部３１は、タッチ操作によるものである必要はなく、端末装置３０が、いわゆるホバリングによる入力操作を認識するように構成されていてもよい。
【００１４】
端末装置３０とコントローラ２０とは、双方の通信部３７，２１を介して、双方向通信ができるように構成されている。なお、端末装置３０の通信部３７とコントローラ２０の通信部２１との間の通信方式は、特に限定されるものではなく、有線／無線のどちらであってもよい。後述するコントローラ２０と照明器具１１との間の通信、コントローラ２０と変換器１２との間の通信、変換器１２と照明器具１１との間の通信についても同様である。すなわち、照明器具１１として、有線アダプタ（有線通信する変換器１２）に接続された有線の照明器具１１と、無線アダプタ（無線通信する変換器１２）に接続された無線の照明器具１１とが混在してもよい。
【００１５】
制御部３５は、例えば、マイクロコンピュータで実現され、記憶部３６に記憶されたプログラム等に基づいて、端末装置３０全体の動作を制御する。したがって、制御部３５は、端末装置３０の表示画面３２ａ（以下、単に表示画面３２ａともいう）の表示を制御する表示制御部としての機能も有している。なお、本開示の技術は、特に、表示画面３２ａの表示方法や表示制御等に特徴があり、その特徴点について後ほど詳細に説明する。
【００１６】
なお、本実施形態において、端末装置３０の通信は、通信部３７を介して行われるが、以下の説明において、通信部３７を介する旨の記載を省略する場合がある。同様に、本実施形態において、端末装置３０のデータ等の記憶は、記憶部３６に記憶されるが、記憶部３６に記憶される旨の記載を省略し、単に「端末装置３０に記憶される」と記載する場合がある。以下に説明するコントローラ２０についても同様である。
【００１７】
コントローラ２０は、通信部２１と、制御部２２と、記憶部２３とを備えている。通信部２１は、端末装置３０の通信部３７及び機器１０の通信部（例えば、照明器具１１の通信部１１ａ）の両方と通信する機能を有する。
【００１８】
制御部２２は、例えば、マイクロコンピュータで実現され、記憶部３６に記憶されたプログラム等に基づいて、コントローラ２０全体の動作を制御する。例えば、通信部２１を介して受けた端末装置３０からの要求に応じて、照明器具１１を制御したり、記憶部２３に記憶されたデータ（例えば、マップデータ）を端末装置３０に提供したりする。具体的な詳細動作は、以下の「照明システムの動作」において例示する。
【００１９】
照明器具１１は、通信部１１ａと、制御部１１ｂと、光源駆動部１１ｃと、光源１１ｄとを備える。照明器具１１では、コントローラ２０から受けた指示信号の内容に基づいて光源の制御、光源の設定変更等が行われる。
【００２０】
通信部１１ａは、コントローラ２０の通信部２１との間で通信する機能を有する。通信部１１ａは、コントローラ２０から光源の制御、設定変更等を指示する指示信号を受け、制御部１１ｂに伝達する。
【００２１】
制御部１１ｂは、通信部２１を介してコントローラ２０から受けた指示信号の内容に基づいて、光源駆動部１１ｃの動作を制御する。
【００２２】
光源駆動部１１ｃは、ＡＣ電源Ｅ（例えば、商用電源）と光源１１ｄとの間に設けられていて、制御部１１ｂの制御を受けて光源１１ｄの制御（例えば、点灯／消灯の制御、調光制御、調色制御等）を実施する。なお、照明器具１１の構成や動作、すなわち、制御部１１ｂ、光源駆動部１１ｃ及び光源１１ｄの具体的な構成及び動作は、従来技術と同様であり、ここではその詳細説明を省略する。
【００２３】
変換器１２は、変換部１２ａと、通信部１２ｂとを備える。
【００２４】
変換部１２ａは、コントローラ２０の通信部２１と接続（例えば有線接続）され、コントローラ２０から受信した信号を、照明器具１１と通信するための信号（例えば無線信号）に変換する機能を有する。
【００２５】
通信部１２ｂは、所定範囲内（近傍）に配置された照明器具１１との間で通信する機能を有する。例えば、コントローラ２０から受けた指示信号を伝達したり、照明器具１１からのデータを受けてコントローラ２０に伝達したりする機能を有する。
【００２６】
なお、変換器１２が、スイッチ１３を内蔵していてもよい。スイッチ１３は、（変換器やその変換器に接続された照明器具の設定を変更するための入力操作を受けたり、コントローラと照明器具との間の通信をオン／オフ制御）したりする機能を有する。なお、スイッチ１３が、変換器１２と別体で構成される、すなわち、変換器１２の外側に設けられていてもよい。変換器１２及びスイッチ１３の具体的な構成及び動作は、従来技術と同様であり、ここではその詳細説明を省略する。
【００２７】
−端末装置の表示画面の構成−
図３は端末装置の表示画面の構成例を示す図である。
【００２８】
図３に示すように、端末装置３０の表示画面３２ａには、機器配置領域ＲＭと、機器リスト領域ＲＬとが設けられている。
【００２９】
機器配置領域ＲＭには、平面図や配灯図等の施工現場の図面（以下、施工図という）が表示され、その施工図上の機器１０の設置場所に仮配置アイコン７（図３のでは正方形の枠の例を記載）が配置されている。仮配置アイコン７は、後述するマッピング作業時に、作業者によって、それぞれ独立に選択可能なアイコンである。仮配置アイコン７は、例えば、設計者等により、施工図の作成の際に、あらかじめ施工図上に配置され、端末装置３０に格納されている。なお、端末装置３０は、コントローラ２０や外部のサーバ（図示省略）等から機器配置領域ＲＭの初期マップ情報（施工図情報及び仮配置アイコン７の配置情報）を受信して表示画面３２ａに表示するようにしてもよい。なお、図３では、仮配置アイコン７のうち、変換器１２の設置位置に対応する仮配置アイコン７１を太実線で示している。このように、対応する機器１０毎に仮配置アイコンの表示形式を異ならせるようにしてもよい。
【００３０】
機器リスト領域ＲＬには、照明システムＡで認識された機器のうち、施工図上の配置場所が未判別の機器１０を示す機器アイコン８が並べて表示されている。機器アイコン８は、各機器１０固有の機器識別情報（例えば、マックアドレス）と紐づけられていて、それぞれに独立に選択可能なアイコンである。なお、図３に示すように、機器アイコン８に、機器１０の種別が分かるように機器１０のシンボルマークを表示させてもよく、上記機器１０毎の固有の機器識別情報に対応した識別表示（図３では、識別表示の例として照明１，照明２，…と記載）を表示させてもよい。
【００３１】
なお、端末装置３０の表示画面３２ａに、機器配置領域ＲＭ及び機器リスト領域ＲＬ以外の表示がされていてもよい。例えば、図３では、機器リスト領域ＲＬの右上に、機器リスト領域ＲＬに残っている未判別機器の台数（図３では「残り台数」と記載）を表示させる例を示している。この未判別機器の台数の表示により、作業者が作業量や作業の進捗度合いを把握しやすくなる。
【００３２】
また、仮配置アイコンの近傍（例えば、周囲）に、その配置場所（施工位置）と関連した識別記号を表示させてもよい。後述する図５Ａ−Ｅでは、各仮配置アイコンの上側に、左から何番目で、上から何番目かがわかるように記載した数字を表示した例を示している。これにより、後述するマッピング作業において、点滅させた照明器具に対応する仮配置アイコンの場所をより早く、かつ、正確に特定することができる。
【００３３】
−照明システムの動作−
次に、図４Ａ−Ｂ及び図５Ａ−Ｅを参照しつつ、作業者が機器リストに表示された機器と仮アイコンとを紐づけする作業（以下、マッピング作業という）時の照明システムＡの動作について具体的に説明する。図４Ａ−Ｂは、照明システムＡの全体の動作を示すフローチャートである。また、図５Ａ−Ｅには、照明システム動作時の端末装置の表示画面の表示例を示している。
【００３４】
図４Ａに示すように、まず、作業者が端末装置を操作して初期マップ情報の読み込みを指示すると、端末装置３０は、記憶部３６から、施工図及び仮配置アイコンの配置情報を含む初期マップ情報を読み込む（ステップＳ３１）。
【００３５】
ステップＳ３２では、端末装置３０は、読み込んだ初期マップ情報を、表示画面３２ａの機器配置領域ＲＭに表示させる。
【００３６】
次に、作業者が端末装置３０を操作して、機器１０の認識を指示すると、その指示情報がコントローラ２０に伝達され、コントローラ２０が各機器１０の認識動作を実行する。具体的に、コントローラ２０は、例えば、各機器１０からマックアドレス等の機器識別情報を取得する。これにより、コントローラ２０が機器情報（機器識別情報を含む機器の種別及びそれぞれの機器の台数等）を認識することができる（ステップＳ２１）。
【００３７】
コントローラ２０は、機器情報の認識が終わると、集約した機器情報を端末装置３０に送信する。そして、機器情報を受け取った端末装置３０では、機器リスト領域ＲＬに、機器情報に対応する識別子である機器アイコン８を並べて表示させる（ステップＳ３３）。
【００３８】
図５Ａは、表示画面３２ａの機器配置領域ＲＭに初期マップ情報が表示され、機器リスト領域ＲＬに機器アイコン８が並べて表示された状態を示している。なお、ここでは、機器配置領域ＲＭに、初期マップ情報のうち、作業者の所在地周辺を拡大した拡大領域ＡＲ１のマップ情報が表示されているものとして説明する。なお、図５Ａの表示に代えて、図３のように施工図全体がわかるような表示画面を用いてもよく、同様の結果が得られる。
【００３９】
図４Ｂ及び図５Ｂに進み、作業者が機器リスト領域ＲＬから１台の機器１０（以下、第１機器ともいう）を選択すると、端末装置３０は、第１機器を示す機器アイコン８である第１機器アイコン８１の表示状態を変更する（例えば、明るさを上げる）とともに、第１機器を識別するための識別情報を保持する（ステップＳ３４）。なお、識別情報の形式は、特に限定されない。例えば、シリアルナンバーであってもよいし、「照明器具○○」のように、言語的な情報であってもかまわない。
【００４０】
さらに、端末装置３０は、第１機器を点滅させるようコントローラ２０に要求する。コントローラ２０は、端末装置３０からの第１機器の点滅要求を受けると、第１機器の制御部を介して第１機器を点滅させるように制御する。これにより、作業者は、選択した第１機器アイコン８１に対応する第１機器の点滅を目視確認することができる。
【００４１】
次に、作業者が、機器配置領域ＲＭの中から、点滅した第１機器の場所に該当する位置に配置された仮配置アイコン７（以下、第１仮配置アイコン７２という）をタップする（図５Ｃ参照）。そうすると、端末装置３０は、第１仮配置アイコン７２と第１機器とを紐付けるとともに（ステップＳ３５）、機器配置領域ＲＭの第１仮配置アイコン７２の位置に第１機器の識別記号（例えば、第１機器アイコン８）を表示させる。さらに、端末装置３０は、機器リスト領域ＲＬから第１機器の表示を削除する（ステップＳ３６）。
【００４２】
図５Ｅは、表示画面３２ａの表示に関し、機器配置領域ＲＭの第１仮配置アイコン７２の位置に第１機器アイコン８が表示され、かつ、機器リスト領域ＲＬから第１機器アイコン８の表示が削除された状態を示している。そして、端末装置３０は、機器リスト領域ＲＬから第１機器アイコン８の表示を削除すると、「残り台数」の表示を１台減らすとともに、未設定の機器１０に対応する機器アイコン８（図５Ｅでは「照明２９」のアイコン）を機器リスト領域ＲＬの空いている領域に表示させる。
【００４３】
なお、図５Ｄに示すように、ステップＳ３６において、機器リスト領域ＲＬの第１機器アイコン８１が第１仮配置アイコンに関連付け（紐付け）される様子を動的に表示するようにしてもよい。このように、第１機器アイコン８１が視覚的変化を経て遷移するようにすることにより、作業者が関連付け（紐付け）されたことを認識しやすくすることができる。
【００４４】
ステップＳ３７では、機器リスト領域ＲＬに未判別の機器が残っているかどうかが判断される。端末装置３０は、機器リスト領域ＲＬに未判別の機器が残っている場合（Ｓ３７でＹＥＳ）、待機状態となり、作業者が機器リスト領域ＲＬから次の機器１０を選択すると、ステップＳ３４からＳ３７の動作を繰り返す。一方で、機器リスト領域ＲＬの機器１０がなくなると、端末装置３０は、機器１０と仮配置アイコン７とが紐づけられたマッピング情報をコントローラ２０に送信する（ステップＳ２２）。そして、コントローラ２０でマッピング情報が記憶部２３に記憶されて、一連の処理が終了する。
【００４５】
以上のように、本実施形態によると、機器リスト領域ＲＬに表示された第１機器アイコン８１の選択操作を受けたときに、第１機器アイコン８１の識別情報を保持している。そして、第１機器アイコン８１の選択操作を受けた後に、第１仮配置アイコン７２の選択操作を受けたときに、第１仮配置アイコン７２と第１機器とを紐付けて、機器配置領域ＲＭの第１仮配置アイコン７２の位置に第１機器アイコン８１を表示させている。これにより、照明システムのマッピング作業における作業者の手間（視線の動き）を大幅に低減することができるので、作業品質や作業効率を大幅に向上させることできる。
【００４６】
具体的に、従来技術では、マッピング作業中に、作業者の視線が照明器具、サブウインド及びレイアウト表示領域の間で、何度も行き来していたが、本開示の技術では、照明器具１１を確認した後に、機器配置領域ＲＭ上の該当場所を確認することで作業を完結させることができる。
【００４７】
前述のとおり、決まった間隔で多数の照明器具１１が配列されているような施工現場では、機器配置領域ＲＭに同じような間隔で多数の仮配置アイコン７が並ぶので、点滅した照明器具１１と対応する第１仮配置アイコン７２を特定するのに隣接する他の仮配置アイコン７と間違いやすい状況が発生し得る。そうすると、従来技術のように、第１仮配置アイコン７２を特定した後に、再度サブウインド（機器リスト領域に相当）を確認する必要があると、第１仮配置アイコン７２の位置を忘れたり、隣接するアイコンとの混同が生じて、配置場所を間違ってしまったりする虞があるが、本開示の技術ではそういったことがない。
【００４８】
−機器配置領域及び機器リスト領域の表示制御−
図５Ａでは、端末装置３０は、機器配置領域ＲＭに、初期マップ情報のうち、作業者（端末装置）の現在位置（所在位置）周辺を拡大した拡大領域ＡＲ１のマップ情報が表示されているものとして説明した。この点に関連し、機器配置領域及び機器リスト領域の表示制御について、詳細に説明する。
【００４９】
例えば、コントローラ２０が、ステップＳ２１における機器認識をする際に、複数の機器１０の施工場所を推定し、その推定された施工場所の情報を位置推定情報として端末装置３０に送信するようにしてもよい。そして、端末装置３０において、コントローラ２０から受けた位置推定情報に基づいて、機器配置領域ＲＭ及び／または機器リスト領域ＲＬの表示を設定したり、変更したりするようにしてもよい。
【００５０】
位置推定情報は、例えば、コントローラ２０と各機器１０との間の通信電波強度に基づく情報である。例えば、コントローラ２０と機器１０との間の通信電波強度が相対的に強いほど、コントローラ２０に近い機器１０である可能性が高いと推定することができる。また、位置推定情報は、例えば、コントローラと各機器間の通信電波の到達時間に基づく情報である。通信電波の到達時間の場合、例えば、通信電波の到達時間が相対的に速いほど、コントローラ２０に近い機器１０である可能性が高いと推定することができる。
【００５１】
端末装置では、機器配置領域ＲＭの表示に関し、例えば、上記位置推定情報を受けた場合に、自機の現在位置と関連性の高い領域である第１配置領域（図５Ａでは拡大領域ＡＲ１に相当する）を拡大表示させるようにしてもよい。これにより、作業者が点滅した照明器具１１の対応場所を機器配置領域ＲＭから探す作業がやりやすくなる。
【００５２】
また、端末装置３０では、機器リスト領域ＲＬの表示に関し、上記位置推定情報に基づいて識別記号としての機器アイコン８の表示順序を決めるようにしてもよい。例えば、自機の現在位置に近いと推定される機器１０が優先して表示されるように機器リスト領域ＲＬに表示される機器アイコン８の順番を並べ替えることができる。このとき、自機の現在位置と関連性の低い機器アイコン８を機器リスト領域ＲＬに表示させないようにしてもよい。例えば、任意の閾値を設けて、通信電波強度及び／または通信電波強度が、その閾値よりも低い機器１０に対応する機器アイコン８を機器リスト領域ＲＬに表示させないようにしてもよい。これにより、機器リスト領域ＲＬから選択した機器アイコン８に対応する機器１０が、作業者（端末装置）の現在位置に近い可能性が高まり、作業効率が大幅に向上する。
【００５３】
なお、上述の位置推定情報に基づく、機器配置領域ＲＭの表示と機器リスト領域ＲＬの表示とは、いずれか一方が対応していてもよいし、両表示をあわせて対応するようにしてもよい。両表示をあわせて対応することで、作業者の作業品質や作業効率をより高めることができる。
【００５４】
なお、位置推定情報は、通信電波強度に関するものに限定されない。例えば、照明システムＡが複数のコントローラ２０を有する場合に、端末装置３０は、自機が接続しているコントローラ２０の周辺の領域を拡大表示させるようにしてもよい。これにより、広い施設等でのマッピング作業においても、作業者の作業範囲を確定させることができるので、その作業効率を向上させることができる。
【００５５】
また、照明器具１１（機器１０）が複数の電源系統に分けて施工されている場合に、一部の系統の照明器具１１のみに電源を投入し、その状態でコントローラ２０が機器１０を認識する工程を実行するようにしてもよい。そうすると、コントローラ２０が認識できる機器１０が限定されるので、端末装置３０では、その時点で電源が入っている照明器具１１のみを機器リストに表示させることができる。これにより、作業者の作業範囲を確定させることができるので、その作業効率を向上させることができる。
【００５６】
なお、コントローラ２０及びコントローラ２０に接続された機器１０に対する端末装置３０の現在位置の特定方法は、特に限定されない。例えば、コントローラ２０から認識された機器１０を１台ずつ点灯させ、作業者の目視、または、センサ（画像センサや照度センサ）で点灯を検知できたかどうかで把握することができる。また、従来から知られているＧＰＳ（Global Positioning System）等の他の位置検出手段との組み合わせで端末装置３０の現在位置を把握するようにしてもよい。
【００５７】
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００５８】
上記実施形態について、以下のような構成としてもよい。
【００５９】
＜その他の実施形態＞
上記実施形態では、ステップＳ３１において、端末装置３０は、あらかじめ記憶部３６に記憶された初期マップ情報を読み込むものとしたが、これに限定されない。例えば、端末装置３０が、初期マップ情報の一部または全部をコントローラ２０から受けるようにしてもよい。これにより、マッピング作業を終了して、他の施工現場に移動する場合において、その施工現場の初期マップ情報が端末装置にない場合でも、作業を開始することができる。また、端末装置３０が、コントローラ２０以外の記憶手段、例えば、ネットワークに接続された外部サーバー（図示省略）等から初期マップ情報を読み込むようにしてもよい。
【００６０】
また、例えば、一度マッピング作業が終了した施工現場に新たに機器１０（例えば、照明器具１１）が追加される場合に、初期マップ情報（機器配置領域への仮配置アイコン７の配置情報を含む）や、機器リスト領域ＲＬに表示させる機器１０の識別情報（仮配置アイコン７への紐付けが終わっているものは紐付け情報を含む）をコントローラ２０から受けるようにしてもよい。これにより、作業者が、追加された照明器具１１についてのみ関連付け（紐付け）の作業をするとよいので、作業者の手間を大幅に削減することができる。
【００６１】
また、図６に示すように、端末装置３０が、ステップＳ３６において、機器配置領域ＲＭの第１仮配置アイコン７２の位置に第１機器アイコン８を表示させる前に、表示画面３２ａに作業者の確認を促す確認用アイコン９１を表示させるようにしてもよい。これにより、仮に、作業者が仮配置アイコン７を間違ってタップしても、即座に第１仮配置アイコン７２と第１機器との関連付けが行われないので、操作ミスを低減することができる。
【００６２】
さらに、図６に示すように、端末装置３０が、上記確認用アイコン９１の表示にあわせて、第１仮配置アイコン７２と第１機器との紐付けを解除させる解除用アイコン９２（図６では、「×印」の取り消しボタンを例示）を表示させるようにしてもよい。これにより、確認用アイコン９１と同様に、作業者が仮配置アイコン７を間違ってタップしても、即座に第１仮配置アイコン７２と第１機器との関連付けが行われないので、操作ミスを低減することができる。
【００６３】
また、上記実施形態では、端末装置３０は、内部に記憶部３６を有するものとしたが、記憶部３６を有しない端末装置であってもよい。この場合、端末装置３０は、内部の記憶部３６に代えて、端末装置３０の外部、例えば、ネットワークを介して接続されるサーバ装置（図示省略）の記憶領域を本実施形態で説明した記憶部３６として使用すればよい。
【００６４】
また、上記実施形態では、端末装置３０は、機器リスト領域の機器がなくなってから、機器１０と仮配置アイコン７とが紐づけられたマッピング情報をコントローラ２０に送信するものとしたが、これに限定されない。例えば、第１仮配置アイコン７２と第１機器との紐付けが完了した台数が所定台数に達する毎に、マッピング情報をコントローラ２０に送信し、コントローラ２０に一時保存するようにしてもよい。これにより、端末装置３０のバッテリーが切れてしまう等の不測の事態が発生した場合にも、上記コントローラ２０に一時保存されたデータを端末装置３０に読み込むことで、作業者が途中から作業を再開することができる。
【００６５】
上記実施形態では、機器アイコン８の表示に関し、機器リスト領域ＲＬと、機器配置領域ＲＭとで同一のアイコンを表示させる例を示しているが、これに限定されず、互いに異なるアイコンを表示させるようにしてもよい。
【産業上の利用可能性】
【００６６】
本開示の端末装置は、照明システムのマッピング作業に好適に適用することができる。
【符号の説明】
【００６７】
Ａ  照明システム
７  仮配置アイコン（仮アイコン）
８  機器アイコン（識別記号）
１０  機器
１１  照明器具
２０  コントローラ
３０  端末装置
３２ａ  表示画面
３５  制御部（表示制御部）
３７  通信部（送信部）
７２  第１仮配置アイコン（第１仮アイコン）
ＲＭ  機器配置領域
ＲＬ  機器リスト領域
【図１】
2019200908.tif 000003
【図２】
2019200908.tif 000004
【図３】
2019200908.tif 000005
【図４Ａ】
2019200908.tif 000006
【図４Ｂ】
2019200908.tif 000007
【図５Ａ】
2019200908.tif 000008
【図５Ｂ】
2019200908.tif 000009
【図５Ｃ】
2019200908.tif 000010
【図５Ｄ】
2019200908.tif 000011
【図５Ｅ】
2019200908.tif 000012
【図６】
2019200908.tif 000013